(57)【特許請求の範囲】
【請求項１】
立ち位置を挟んで、開口部を有する二枚の壁体が対向配置されてなり、この壁体の開口部に、それぞれ遮熱効果の異なったガラスを有するドアが設けられるとともに、これらのドアのガラスを介して、それぞれ立ち位置に向けてライトが照射するようになされ、
これらガラスを介して感じるライトの照射熱の違いから、立ち位置においてガラスの遮熱効果の違いを体験することができるようになされたことを特徴とする遮熱効果体験装置。
【発明の詳細な説明】
【０００１】
【産業上の利用分野】
本発明は、異なった二種類のガラスの遮熱効果の違いを体験することができるようになされた装置に関するものである。
【０００２】
【従来の技術】
従来より、住宅建物の窓などに採用されているガラスとしては、単に一枚のガラスを嵌め込んだものや、二枚のガラスを嵌め込んだいわゆるペアガラスを呼ばれるものが使用されている。この両ガラスの違いは、住宅建物のカタログに紹介したり、展示住宅に訪れた購入予定者に、口頭で説明したりしていた。
【０００３】
【発明が解決しようとする課題】
しかし、実際の窓などに使用されているガラスは、外観上は略同じであるため、その性能の違いは、カタログに紹介したり、口頭で説明したりしても、実感することができないといった不都合を生じることとなる。
【０００４】
また、カタログに紹介したり、口頭で説明したりする場合、容易に理解してもらいにくく、説明に時間がかかって煩わしくなる。
【０００５】
さらに、カタログの紹介や口頭での説明の場合、単に性能の違いなどを数値で把握するだけになってしまうので、それぞれのガラスの違いを印象づけることができないといった不都合を生じることとなる。
【０００６】
本発明は、係る実情に鑑みてなされたものであって、ガラスの違いを容易に把握でき、その違いを印象づけることができる遮熱効果体験装置を提供することを目的としている。
【０００７】
【課題を解決するための手段】
上記課題を解決するための本発明の遮熱効果体験装置は、立ち位置を挟んで、開口部を有する二枚の壁体が対向配置されてなり、この壁体の開口部に、それぞれ遮熱効果の異なったガラスを有するドアが設けられるとともに、これらのドアのガラスを介して、それぞれ立ち位置に向けてライトが照射するようになされ、これらガラスを介して感じるライトの照射熱の違いから、立ち位置においてガラスの遮熱効果の違いを体験することができるようになされたものである。
【０００８】
【発明の実施の形態】
以下、本発明の実施の形態を図面を参照して説明する。
【０００９】
図１および図２は遮熱効果体験装置１の全体構成の概略を示している。
すなわち、この遮熱効果体験装置１は、立ち位置Ｐを挟んで、開口部２０を有する二枚の壁体２が対向配置され、この開口部２０に、単板ガラス３およびペアガラス４を有するドア５がそれぞれ設けられ、これらの単板ガラス３およびペアガラス４を介して、それぞれ立ち位置Ｐに向けてライト６が照射するようになされたものである。
【００１０】
立ち位置Ｐは、壁面７に面して設けられている。この壁面７にはカウンター７１が設けられ、このカウンター上に各種ガラスのサンプル７２が設けられている。壁面７には、ライト６のオンオフを行うスイッチ７３が設けられている。また、遮熱効果の違いを解説するパネル７４が設けられている。
【００１１】
壁体２は、立ち位置Ｐの両側に略対向配置するように配置される。この壁体２には、人Ｍが出入りできる程度の大きさの開口部２０が、それぞれ対向するように設けられている。
【００１２】
この開口部２０が設けられた壁体２は、それぞれ箱体２１を形成するようになされている。この箱体２１内には、開口部２０を介して立ち位置Ｐに向かって照射するライト６が設けられている。
【００１３】
上記壁体２のうちの何れか一方の壁体２の開口部２０には、単板ガラス３を有するドア５が取り付けられている。また、他方の壁体２の開口部２０には、ペアガラス４を有するドア５が取り付けられている。
【００１４】
このうち、単板ガラス３は、厚さ６ｍｍのものが使用されている。また、単板ガラス３の立ち位置Ｐ側の表面には、その時の単板ガラス３の温度を測定表示する温度表示装置３ａが設けられている。
【００１５】
一方、ペアガラス４は、上記と同じ厚さ６ｍｍとなされた二枚の単板ガラス４１を、８ｍｍの断熱空気層４０を介して設けることによって構成されている。このペアガラス４の立ち位置Ｐ側の表面にも、その時のペアガラス４の温度を測定表示する温度表示装置４ａが設けられている。
【００１６】
このようにして構成される遮熱効果体験装置１は、立ち位置Ｐに立った人Ｍがスイッチ７３を入れてライト６の照射を行えば良い。この際、人Ｍは、立ち位置Ｐの両側から照射されるライト６の照射熱を体に感じることとなるが、立ち位置Ｐの一方からは、単板ガラス３を介して照射されるライト６の照射熱を感じることとなり、立ち位置Ｐの他方からは、ペアガラス４を介して照射されるライト６の照射熱を感じることとなる。
【００１７】
したがって、人Ｍは、単板ガラス３を介して照射されるライト６からの照射熱の方が、遮熱効果の高いペアガラス４を介して照射されるライト６からの照射熱よりも熱く感じることとなる。その結果、人Ｍは、単に立ち位置Ｐに立つだけで、単板ガラス３とペアガラス４との遮熱効果の違いを身をもって体験することができる。
【００１８】
また、これら単板ガラス３およびペアガラス４が設けられたドア５を開けてライト６の照射熱を直接感じることもできるので、これら単板ガラス３とペアガラス４とがどの程度遮熱を行っているのかといったことも身をもって体験することができる。
【００１９】
さらに、ライト６が切れたり、単板ガラス３またはペアガラス４の内側が汚れたような場合であっても、ドア５を開けて簡単にメンテナンス作業を行うことができる。
【００２０】
なお、本実施の形態では、スイッチ７３によってライト６のオンオフを行うようになされているが、このスイッチ７３としては、一旦スイッチ７３を押せば、所定時間後に自動的にオフになるようになされたものであってもよい。また、ライト６は、あらかじめ照射を行った状態としておいても良いし、スイッチ７３を使用せずに、立ち位置Ｐに人Ｍが立った際に、この人Ｍに反応して所定時間だけ照射電源が入るようになされたセンサースイッチ（図示省略）によって照射するようにしても良い。
【００２１】
また、本実施の形態では、壁体３の開口部３０に、単板ガラス３およびペアガラス４を有するドア５をそれぞれ嵌め込んで、これら単板ガラス３とペアガラス４との遮熱効果の違いを体験できるようになされているが、これらガラスの組み合わせとしては、遮熱効果に差を生じるものであれば、特に限定されるものではない。また、交換する場合も、ドア５ごと簡単に交換することができる。
【００２２】
【発明の効果】
以上述べたように、本発明によると、立ち位置に立った状態で、ガラスを介して感じるライトの照射熱の違いから照射熱によるそれぞれのガラスの遮熱効果の違いを体験することができる。したがって、ドアに取り付けられたガラスの違いに興味を持ってもらうことができるとともに、その違いを身をもって実感することができる。また、ドアを開けてライトの照射熱を直接感じることもできるので、ドアに取り付けられたそれぞれのガラスがどの程度の遮熱を行っているのかといったことも身をもって体験することができる。
【００２３】
また、ドアを開けてライトの照射熱を直に浴びることで、ガラス自体の照射効果も実感することができる。
【図面の簡単な説明】
【図１】本発明に係る遮熱効果体験装置の全体構成の概略を示す正面図である。
【図２】本発明に係る遮熱効果体験装置の水平断面図である。
【図３】図１におけるI −I 線断面図である。
【符号の説明】
１  遮熱効果体験装置
２  壁体
２０  開口部
３  単板ガラス
４  ペアガラス
５  ドア
６  ライト
Ｐ  立ち位置
【図１】
0003657444.tif 000002
【図２】
0003657444.tif 000003
【図３】
0003657444.tif 000004